(57)【要約】【課題】  管理する物品の数が多い場合であっても、多大なコスト及び大きなスペースを必要とせず、また、管理する物品の数が増加した場合においても容易に対応する。【解決手段】  ＲＦ−ＩＤメディアが内蔵され、鍵１に装着可能に構成されたモールドタグ１０と、鍵１に装着されたモールドタグ１０を吊り下げ可能な複数のフック２０と、複数のフック２０に渡って吊り下げられ、ＲＦ−ＩＤメディアに書き込まれた情報を読み出すためのアンテナ３１が内蔵されたアンテナ板３０と、ＲＦ−ＩＤメディアからアンテナ３１を介して情報を読み出すリーダ／ライタ６０と、リーダ／ライタ６０にてＲＦ−ＩＤメディアから読み出された情報に基づいて鍵１を管理する管理用パソコン７０とを有する。【選択図】図１
2006002538.tif 000002
【特許請求の範囲】
【請求項１】
ＲＦ−ＩＤメディアを用いて物品を管理する物品管理システムであって、
前記ＲＦ−ＩＤメディアが内蔵され、物品に装着可能に構成された装着部材と、
物品に装着された前記装着部材を吊り下げ可能な複数の吊り下げ部と、
前記複数の吊り下げ部に渡って吊り下げられ、前記ＲＦ−ＩＤメディアに書き込まれた情報を読み出すためのアンテナが内蔵されたアンテナ板と、
前記ＲＦ−ＩＤメディアから前記アンテナを介して情報を読み出す情報読出手段と、
前記情報読出手段にて前記ＲＦ−ＩＤメディアから読み出された情報に基づいて物品を管理する管理手段とを有する物品管理システム。
【請求項２】
請求項１に記載の物品管理システムにおいて、
前記複数の吊り下げ部は、複数段設けられ、
前記アンテナ板は、前記複数段毎に前記複数の吊り下げ部に渡って吊り下げられるように複数設けられ、
前記複数のアンテナ板にそれぞれ内蔵されたアンテナのうち、前記ＲＦ−ＩＤメディアから情報を読み出すためのアンテナを切り替える切替手段を有することを特徴とする物品管理システム。
【請求項３】
ＲＦ−ＩＤメディアを用いて物品を管理する物品管理システムであって、
前記ＲＦ−ＩＤメディアが内蔵され、物品に装着可能に構成された装着部材と、
物品に装着された前記装着部材を吊り下げ可能な複数の吊り下げ部を具備し、前記装着部材が装着された物品が収容される収容部と、
前記収容部を開閉自在に構成され、該収容部を閉じた場合に前記複数の吊り下げ部のそれぞれに対向する領域に、前記ＲＦ−ＩＤメディアに書き込まれた情報を読み出すための複数のアンテナが形成された扉部と、
前記ＲＦ−ＩＤメディアから前記アンテナを介して情報を読み出す情報読出手段と、
前記情報読出手段にて前記ＲＦ−ＩＤメディアから読み出された情報に基づいて物品を管理する管理手段とを有する物品管理システム。
【請求項４】
請求項３に記載の物品管理システムにおいて、
前記扉部に形成された複数のアンテナのうち、前記ＲＦ−ＩＤメディアから情報を読み出すためのアンテナを切り替える切替手段を有することを特徴とする物品管理システム。
【請求項５】
物品に装着可能なホルダーであって、
ＲＦ−ＩＤメディアが内蔵されるとともに、環状形状によって吊り下げ可能に構成されているホルダー。
【発明の詳細な説明】
【技術分野】
【０００１】
本発明は、鍵等の物品を収容して管理する物品管理システム及びホルダーに関し、特に、ＲＦ−ＩＤメディアを用いて物品を管理する物品管理システム及びホルダーに関する。
【背景技術】
【０００２】
不動産業者やマンション管理業者、あるいはセキュリティ業者等、複数の鍵を管理する業者においては、例えば、鍵を収容する収容ボックスを設置し、管理している全ての鍵をその収容ボックス内に収容して管理している。そして、収容ボックスから鍵を持ち出す際に、例えば、いつどの鍵を誰が持ち出した等の持ち出し情報を管理簿等に記入し、その後、持ち出した鍵を返却する際に、管理簿等に記入された鍵のうちどの鍵をいつ返却したかを管理簿等に記入することによって、鍵の保管状況を管理している。
【０００３】
このように、管理している複数の鍵を収容ボックスに収容し、収容ボックス内における鍵の保管状況を管理簿等によって管理する場合、収容ボックスから鍵を持ち出す際、並びに持ち出した鍵を収容ボックスに返却する際に、管理簿等への情報の記入が必要となり、そのため、鍵を管理している側あるいは鍵を持ち出す側において手間がかかってしまう。
【０００４】
そこで、近年においては、ＲＦ−ＩＤメディアを用いて鍵を管理する装置が考えられている（例えば、特許文献１参照。）。この装置においては、管理すべき複数の鍵のそれぞれにＲＦ−ＩＤタグを装着しておくとともに、このＲＦ−ＩＤタグが抜き差し自在なタグ収容口とこのタグ収容口に関連したアンテナとを、管理する鍵の数だけ設け、ＲＦ−ＩＤタグがタグ収容口に収容された状態で、ＲＦ−ＩＤメディアに書き込まれた情報をアンテナを介して読み出すことにより、鍵の保管状況を管理している。
【特許文献１】特開２００３−２４２５４５号公報
【発明の開示】
【発明が解決しようとする課題】
【０００５】
しかしながら、上述したように、管理すべき複数の鍵のそれぞれに装着されたＲＦ−ＩＤタグが抜き差し自在なタグ収容口とこのタグ収容口に関連したアンテナとを、管理する鍵の数だけ設けた装置においては、管理する鍵の数だけタグ収容口を設ける必要があるため、管理する鍵の数が多い場合、タグ収容口を設けるために多くのコストがかかってしまうとともに、装置全体が大型化してしまうという問題点がある。
【０００６】
また、管理する鍵の数だけタグ収容口及びアンテナを設けた後に、管理する鍵の数が増えた場合、対応することができないという問題点がある。
【０００７】
本発明は、上述したような従来の技術が有する問題点に鑑みてなされたものであって、管理する鍵等の物品の数が多い場合であっても、多大なコスト及び大きなスペースを必要とせず、また、管理する物品の数が増加した場合においても容易に対応することができる物品管理システム及びホルダーを提供することを目的とする。
【課題を解決するための手段】
【０００８】
上記目的を達成するために本発明は、
ＲＦ−ＩＤメディアを用いて物品を管理する物品管理システムであって、
前記ＲＦ−ＩＤメディアが内蔵され、物品に装着可能に構成された装着部材と、
物品に装着された前記装着部材を吊り下げ可能な複数の吊り下げ部と、
前記複数の吊り下げ部に渡って吊り下げられ、前記ＲＦ−ＩＤメディアに書き込まれた情報を読み出すためのアンテナが内蔵されたアンテナ板と、
前記ＲＦ−ＩＤメディアから前記アンテナを介して情報を読み出す情報読出手段と、
前記情報読出手段にて前記ＲＦ−ＩＤメディアから読み出された情報に基づいて物品を管理する管理手段とを有する。
【０００９】
また、前記複数の吊り下げ部は、複数段設けられ、
前記アンテナ板は、前記複数段毎に前記複数の吊り下げ部に渡って吊り下げられるように複数設けられ、
前記複数のアンテナ板にそれぞれ内蔵されたアンテナのうち、前記ＲＦ−ＩＤメディアから情報を読み出すためのアンテナを切り替える切替手段を有することを特徴とする。
【００１０】
また、ＲＦ−ＩＤメディアを用いて物品を管理する物品管理システムであって、
前記ＲＦ−ＩＤメディアが内蔵され、物品に装着可能に構成された装着部材と、
物品に装着された前記装着部材を吊り下げ可能な複数の吊り下げ部を具備し、前記装着部材が装着された物品が収容される収容部と、
前記収容部を開閉自在に構成され、該収容部を閉じた場合に前記複数の吊り下げ部のそれぞれに対向する領域に、前記ＲＦ−ＩＤメディアに書き込まれた情報を読み出すための複数のアンテナが形成された扉部と、
前記ＲＦ−ＩＤメディアから前記アンテナを介して情報を読み出す情報読出手段と、
前記情報読出手段にて前記ＲＦ−ＩＤメディアから読み出された情報に基づいて物品を管理する管理手段とを有する。
【００１１】
また、前記扉部に形成された複数のアンテナのうち、前記ＲＦ−ＩＤメディアから情報を読み出すためのアンテナを切り替える切替手段を有することを特徴とする。
【００１２】
また、物品に装着可能なホルダーであって、
ＲＦ−ＩＤメディアが内蔵されるとともに、環状形状によって吊り下げ可能に構成されている。
【００１３】
上記のように構成された本発明においては、ＲＦ−ＩＤメディアが内蔵された装着部材に装着された物品が、この装着部材によって吊り下げ部に吊り下げられた状態において、ＲＦ−ＩＤメディアに書き込まれた情報が、複数の吊り下げ部に渡って吊り下げられたアンテナ板に内蔵されたアンテナを介して情報読出手段にて読み出され、管理手段において、情報読出手段にて読み出された情報に基づいて物品が管理される。
【発明の効果】
【００１４】
以上説明したように本発明においては、ＲＦ−ＩＤメディアが内蔵され、物品が装着可能に構成された装着部材を吊り下げ可能な複数の吊り下げ部に渡って吊り下げられたアンテナ板に内蔵されたアンテナを介して、物品が装着された装着部材に内蔵されたＲＦ−ＩＤメディアに書き込まれた情報が情報読出手段にて読み出され、管理手段において、情報読出手段にて読み出された情報に基づいて物品が管理される構成としたため、管理する物品の数が多い場合であっても、吊り下げ部の数が多くなるだけであって、それにより、多大なコスト及び大きなスペースを必要とせずに物品を管理することができる。また、管理する物品の数が増加した場合においても、例えば、吊り下げ部の数を予め多くしておくことや、吊り下げ部の数を増設すること等によって容易に対応することができる。
【００１５】
また、複数の吊り下げ部が複数段設けられ、アンテナ板が、複数段毎に複数の吊り下げ部に渡って吊り下げられるように複数設けられ、複数のアンテナ板にそれぞれ内蔵されたアンテナのうち、ＲＦ−ＩＤメディアから情報を読み出すためのアンテナを切り替える切替手段を有するものにおいては、物品が吊り下げられる複数段のうち、所望の物品が吊り下げられている段を特定することができる。
【００１６】
また、装着部材が装着された物品が収容される収容部を開閉自在に構成された扉部に、収容部を閉じた場合に複数の吊り下げ部のそれぞれに対向する領域に、ＲＦ−ＩＤメディアに書き込まれた情報を読み出すための複数のアンテナが形成されたものにおいては、この複数のアンテナのうち、ＲＦ−ＩＤメディアから情報を読み出すためのアンテナを切り替えれば、物品が吊り下げられる吊り下げ部のうち、所望の物品が吊り下げられている吊り下げ部を特定することができる。
【発明を実施するための最良の形態】
【００１７】
以下に、本発明の実施の形態について図面を参照して説明する。
【００１８】
（第１の実施の形態）
図１は、本発明の物品管理システムの第１の実施の形態を示す図である。
【００１９】
本形態は図１に示すように、物品となる鍵１に装着可能に構成された装着部材であるモールドタグ１０と、モールドタグ１０が装着された鍵１が収容される収容部材である収容ボックス４０と、収容ボックス４０に収容された鍵１を管理する管理手段である管理用パソコン７０と、情報読出手段であるリーダ／ライタ６０と、アンテナ切替器５０とから構成されている。また、収容ボックス４０は、モールドタグ１０が装着された鍵１が収容される収容部４１と、収容部４１を開閉自在に構成された扉部４２と、収容ボックス４０を開錠あるいは施錠するための電子錠４３とから構成されており、収容部４１には、鍵１に装着されたモールドタグ１０を吊り下げ可能な複数の吊り下げ部であるフック２０と、複数のフック２０に渡って吊り下げられたアンテナ板３０とが設けられている。アンテナ板３０には、アンテナ切替器５０を介してリーダ／ライタ６０に接続され、フック２０に吊り下げられたモールドタグ１０に書き込まれた情報を読み出すためのループ状のアンテナ３１が内蔵されており、また、フック２０の間隔に応じたピッチで形成された穴によって複数のフック２０に渡って吊り下げられている。なお、フック２０は、それぞれが１０個のフック２０からなる３段構造となっており、３段のそれぞれについて、１０個のフック２０に渡って１つのアンテナ板３０が吊り下げられている。
【００２０】
図２は、図１に示したモールドタグ１０の詳細な構造を示す図である。
【００２１】
本形態におけるモールドタグ１０は図２に示すように、収容ボックス４０のフック２０に吊り下げられるための穴部１３ａと、鍵１に取り付けられたワイヤーを通すことにより鍵１に装着するための穴部１３ｂとが設けられているとともに、非接触状態で情報の読み出しが可能なＲＦ−ＩＤメディアであるＩＣチップ１１及びアンテナ１２が内蔵されて構成されている。
【００２２】
以下に、上記のように構成された物品管理システムにおける鍵１の管理方法について説明する。
【００２３】
まず、収容ボックス４０に収容して管理すべき鍵１に、鍵１に取り付けられたワイヤーをモールドタグ１０に設けられた穴部１３ｂに通すことによってモールドタグ１０を装着し、その後、モールドタグ１０に設けられた穴部１３ａを収容部４１のフック２０に引っ掛けて吊り下げることにより、モールドタグ１０が装着された鍵１を収容部４１に収容する。また、この際、モールドタグ１０とこれが装着された鍵１とを対応づけて管理しておく必要がある。そこで、例えば、鍵１にモールドタグ１０を装着した際に、モールドタグ１０に内蔵されたＩＣチップに、装着した鍵１が何の鍵であるかを示す鍵情報を書き込んでおく。なお、１つのモールドタグ１０に装着する鍵１の数は、１つであってもよいし複数であってもよいが、１つのモールドタグ１０に複数の鍵１を装着する場合においても、上述したように、その複数の鍵１に共通して装着されるモールドタグ１０に内蔵されたＩＣチップ１１に、装着する全ての鍵１の鍵情報を書き込んでおく必要がある。
【００２４】
モールドタグ１０が装着された鍵１を収容部４１に収容した後、扉部４２を閉じると、収容ボックス４０が電子錠４３によって自動的に施錠される。
【００２５】
この状態において、収容ボックス４０に収容された鍵１の保管状況を確認する場合、管理用パソコン７０の表示部に表示されたメニューの中から、鍵１の保管状況の確認を指定すると、管理用パソコン７０において、アンテナ切替器５０が制御され、それにより、３つのアンテナ板３０のそれぞれに内蔵されたアンテナ３１に順次電流が供給される。
【００２６】
アンテナ３１に電流が供給されると、電流が供給されたアンテナ３１と、このアンテナ３１が内蔵されたアンテナ板３１が吊り下げられたフック２０に吊り下げられたモールドタグ１０に内蔵されたアンテナ１２とが電磁結合してアンテナ１２に電流が流れ、それにより、ＩＣチップ１１に書き込まれた鍵情報がリーダ／ライタ６０にて読み出される。
【００２７】
リーダ／ライタ６０にて読み出された鍵情報は管理用パソコン７０に送られ、管理用パソコン７０において、リーダ／ライタ６０から送られてきた鍵情報を用いて、収容ボックス４０に収容して管理されている全ての鍵１について、現在、収容ボックス４０に収容されているか否かが表示される。
【００２８】
図３は、図１に示した物品管理システムにおいて管理用パソコン７０に表示される鍵の保管状況を示す画面の一例を示す図である。
【００２９】
図３に示すように、鍵１の保管状況の確認が指定された場合、収容ボックス４０に収容して管理される鍵１が全て表示され、それぞれの鍵１について、現在収容ボックス４０に収容されているか、あるいは持ち出されているかが表示される。なお、持ち出されている鍵１については、後述する鍵１の持ち出し処理時に、管理者ＩＤによって持出者が特定されるため、持出者及び持出日時についても表示される。また、３つのアンテナ３１には順次電流が供給されるため、管理用パソコン７０においては、３段からなる収容位置のそれぞれにどの鍵が収容されているかも認識することができ、収容ボックス４０に収容されている鍵１のそれぞれについてその収容位置を表示することも考えられる。
【００３０】
なお、このような鍵１の保管状況の確認においては、予め登録された管理者以外の者が確認することができないような仕組みとすることも考えられる。例えば、管理用パソコン７０の表示部に表示されたメニューの中から鍵１の保管状況の確認を指定した後に、管理者ＩＤを入力するための画面を表示し、この画面に予め登録された管理者用ＩＤが入力された場合にのみアンテナ３１に電流を供給する仕組みや、管理者用ＩＤが書き込まれたＩＤカードを電子錠４３の読取部４３ａに翳して読取部４３ａにてＩＤカードから管理者用ＩＤが読み取られた場合にのみアンテナ３１に電流を供給する仕組みとすることが考えられる。
【００３１】
また、収容ボックス４０に収容された鍵１を持ち出す場合は、予め登録された管理者ＩＤが書き込まれたＩＤカードを電子錠４３の読取部４３ａに翳し、読取部４３ａにてＩＤカードから管理者用ＩＤが読み取られると、電子錠４３が開錠し、扉部４２を開けることができる。この際、読取部４３ａにて読み取られた管理者ＩＤは管理用パソコン７０に通知される。
【００３２】
そして、所望の鍵１に装着されたモールドタグ１０をフック２０から外し、鍵１をモールドタグ１０とともに収容部４１から取り出す。その後、扉部４２を閉じると、収容ボックス４０が電子錠４３によって自動的に施錠される。収容ボックス４０が電子錠４３によって施錠されると、上述した鍵１の保管状況の確認時の処理と同様に、管理用パソコン７０において、アンテナ切替器５０が制御され、それにより、３つのアンテナ板３０のそれぞれに内蔵されたアンテナ３１に順次電流が供給され、それにより、現在、収容部４１に収容されている鍵１が認識され、その前に管理用パソコン７０にて認識された鍵１と比較され、それにより、どの鍵１が持ち出されたかが認識される。また、管理用パソコン７０においては、電子錠４３の読取部４３ａにて読み取られた管理者ＩＤが通知されているため、どの管理者がどの鍵１を持ち出したかを管理することができる。なお、管理用パソコン７０においては、扉部４２が閉じられ収容ボックス４０が電子錠４３によって自動的に施錠される度毎に、上述した鍵１の保管状況の確認処理が行われているため、扉４２が閉じられ収容ボックス４０が電子錠４３によって施錠された際に収容ボックス４０に収容されていると認識された鍵１と、その前に管理用パソコン７０にて認識された鍵１と比較することによって、どの鍵１が持ち出されたかを認識することができる。また、管理用パソコン７０に通知された管理者ＩＤと持ち出された鍵１とは、その鍵１が持ち出されたと認識された時間も含めて管理用パソコン７０において対応づけて記録される。
【００３３】
その後、収容ボックス４０から持ち出した鍵１を返却する場合、収容ボックス４０から鍵１を持ち出す際と同様に、管理者ＩＤが書き込まれたＩＤカードを電子錠４３の読取部４３ａに翳し、読取部４３ａにてＩＤカードから管理者用ＩＤが読み取られると、電子錠４３が開錠し、扉部４２を開けることができる。この際、読取部４３ａにて読み取られた管理者ＩＤは管理用パソコン７０に通知される。
【００３４】
そして、持ち出した鍵１に装着されたモールドタグ１０をフック２０に引っ掛けて吊り下げることにより、モールドタグ１０が装着された鍵１を収容部４１に返却する。その後、扉部４２を閉じると、収容ボックス４０が電子錠４３によって自動的に施錠される。収容ボックス４０が電子錠４３によって施錠されると、上述した鍵１の持ち出し時の処理と同様に、管理用パソコン７０において、アンテナ切替器５０が制御され、それにより、３つのアンテナ板３０のそれぞれに内蔵されたアンテナ３１に順次電流が供給され、それにより、現在、収容部４１に収容されている鍵１が認識され、その前に管理用パソコン７０にて認識された鍵１と比較され、それにより、どの鍵１が返却されたかが認識される。また、管理用パソコン７０においては、電子錠４３の読取部４３ａにて読み取られた管理者ＩＤが通知されているとともに、鍵１を持ち出した管理者の管理者ＩＤが記録されているため、鍵１を持ち出した管理者がその鍵１を返却したかどうかを認識することができる。また、その際、管理用パソコン７０においては、鍵１の返却時間についても管理する。
【００３５】
なお、管理用パソコン７０における鍵１の保管状況の確認処理のタイミングは、上述したように、管理用パソコン７０にて鍵１の保管状況の確認が指定された際と電子錠４３によって収容ボックス４０が施錠された際とに限らず、予め決められた間隔で定期的に行うことも考えられる。
【００３６】
また、モールドタグ１０に書き込まれた鍵情報は、モールドタグ１０に装着される鍵１が取り替えられた際に、書き換えられることになる。
【００３７】
また、上述した管理用パソコン７０、リーダ／ライタ６０及びアンテナ切替器５０を収容ボックス４０に組み込み、物品管理装置として構成することも考えられる。その場合、管理用パソコン７０と同様の動作を行う制御部やディスプレイを収容ボックス４０に設け、上記同様の処理を行うことになる。
【００３８】
上述した物品管理システムにおいて、モールドタグ１０の代わりに、鍵１に装着可能なホルダーを用いて鍵１の管理を行うことも考えられる。
【００３９】
図４は、図１に示した物品管理システムにてモールドタグ１０の代わりに利用可能なホルダーの一例を示す図であり、（ａ）は外観図、（ｂ）は（ａ）に示したＡ−Ａ’断面図である。
【００４０】
本例は図４に示すように、収容ボックス４０のフック２０に吊り下げられるための貫通穴１１３と、鍵１の一部が挿入可能に構成された挿入口１１４とが設けられているとともに、非接触状態で情報の読み出しが可能なＲＦ−ＩＤメディアであるＩＣチップ１１１及びアンテナ１１２が内蔵されて構成されている。また、この挿入口１１４とアンテナ１１２との間には図４（ｂ）に示すように、磁性体１１５が設けられており、それにより、挿入口１１４に金属からなる鍵１の一部が挿入された状態においても、ＩＣチップ１１１に書き込まれた情報を読み出すことができるようになっている。
【００４１】
このように構成されたホルダー１１０は、挿入口１１４に鍵１の一部が挿入され、貫通穴１１３によってフック２０に吊り下げられたり、貫通穴１１３にワイヤーが通され、このワイヤーが、図２に示したような形状であってＩＣチップ１１及びアンテナ１２が内蔵されていない部材の穴部１３ｂに通され、穴部１３ａによってフック２０に吊り下げられたりして利用されることになる。
【００４２】
また、上述したように、挿入口１１４に挿入される鍵１が金属からなるものである場合、挿入口１１４を挟んで磁性体１１５と反対側にもＩＣチップ１１１及びアンテナ１１２を内蔵することが好ましい。
【００４３】
図５は、図１に示した物品管理システムにてモールドタグ１０の代わりに利用可能なホルダーの他の例を示す図である。
【００４４】
本例は図５に示すように、帯状に構成され、接続部２１６にて帯状の端部どうしが接続されて環状に形成されているとともに、非接触状態で情報の読み出しが可能なＲＦ−ＩＤメディアであるＩＣチップ２１１及びアンテナ２１２が内蔵されて構成されている。
【００４５】
このように構成されたホルダー２１０は、鍵１に取り付けられたワイヤーが環状内に通され、この環状内にフック２０が通されるようにフック２０に吊り下げられて利用されることになる。なお、環状とは、三角形状や四角形状等の多角形状も含み、ホルダー２１０の材質によって変形可能なものや変形不可能なものが考えられる。
【００４６】
（第２の実施の形態）
図６は、本発明の物品管理システムの第２の実施の形態を示す図である。
【００４７】
本形態は図６に示すように、第１の実施の形態に示したものに対して、モールドタグ１０が装着された鍵１が収容される収容部材である収容ボックス３４０の構成のみが異なるものである。本形態における収容ボックス３４０は、モールドタグ１０が装着された鍵１が収容される収容部３４１と、収容部３４１を開閉自在に構成された扉部３４２と、収容ボックス３４０を開錠あるいは施錠するための電子錠３４３とから構成されている。収容部３４１には、鍵１に装着されたモールドタグ１０を吊り下げ可能な複数の吊り下げ部であるフック２０が設けられており、また、扉部３４２には、収容部３４１を閉じた場合に複数のフック２０のそれぞれに対向する領域に、モールドタグ１０に書き込まれた情報を読み出すための複数のアンテナ３３１が形成されている。このアンテナ３３１は、アンテナ切替器５０を介してリーダ／ライタ６０にそれぞれ接続されており、扉部３４２が閉じられた場合に、アンテナ３３１対向するフック２０に吊り下げられたモールドタグ１０に内蔵されたＩＣチップ１１に書き込まれた情報がアンテナ３３１をそれぞれ介してリーダ／ライタ６０にて読み出されることになる。
【００４８】
上述したように、本形態においては、鍵１に装着されたモールドタグ１０が吊り下げられるフック２０のそれぞれに対向するように複数のアンテナ３３１が設けられているため、収容ボックス３４０に収容されている鍵１がどのフック２０に吊り下げられているかを管理用パソコン７０にて認識することができる。
【００４９】
なお、本形態においても、上述した管理用パソコン７０、リーダ／ライタ６０及びアンテナ切替器５０を収容ボックス３４０に組み込み、物品管理装置として構成することも考えられる。その場合、管理用パソコン７０と同様の動作を行う制御部やディスプレイを収容ボックス３４０に設け、上記同様の処理を行うことになる。
【００５０】
また、上述した２つの実施の形態においては、モールドタグ１０に内蔵されたＩＣチップ１１に、このモールドタグ１０が装着された鍵１が何の鍵であるかを示す鍵情報を書き込んでおき、この鍵情報をモールドタグ１０から読み出すことにより鍵１の保管状況を管理しているが、モールドタグ１０に内蔵されたＩＣチップ１１のシリアル番号とこのモールドタグ１０が装着された鍵の鍵情報とを予め対応づけて管理しておき、モールドタグ１０からＩＣチップ１１のシリアル番号を読み出すことによって鍵１の保管状況を管理することも考えられる。その場合、例えば、まず、モールドタグ１０にこのモールドタグ１０を識別可能な情報（例えば、通し番号等）が記載されたラベルを貼付しておき、このラベルに記載された情報とモールドタグ１０に内蔵されたＩＣチップ１１のシリアル番号とを管理用パソコン７０にて予め対応づけて管理しておく。その後、鍵１にモールドタグ１０を装着した際に、管理用パソコン７０に、モールドタグ１０に貼付されたラベルに記載された情報とそのモールドタグ１０が装着された鍵１が何の鍵であるかを示す鍵情報とを対応づけて入力すると、管理用パソコン７０において、モールドタグ１０に内蔵されたＩＣチップ１１のシリアル番号とそのモールドタグ１０が装着された鍵１の鍵情報とが対応づけて管理されることなる。
【００５１】
また、上述した２つの実施の形態においては、物品管理システムとして鍵１を管理するものを例に挙げて説明したが、本発明はこれに限らず、収容ボックス４０，３４０に収容されて管理される様々な物品に適用することができる。
【図面の簡単な説明】
【００５２】
【図１】本発明の物品管理システムの第１の実施の形態を示す図である。
【図２】図１に示したモールドタグの詳細な構造を示す図である。
【図３】図１に示した物品管理システムにおいて管理用パソコンに表示される鍵の保管状況を示す画面の一例を示す図である。
【図４】図１に示した物品管理システムにてモールドタグの代わりに利用可能なホルダーの一例を示す図であり、（ａ）は外観図、（ｂ）は（ａ）に示したＡ−Ａ’断面図である。
【図５】図１に示した物品管理システムにてモールドタグの代わりに利用可能なホルダーの他の例を示す図である。
【図６】本発明の物品管理システムの第２の実施の形態を示す図である。
【符号の説明】
【００５３】
１    鍵
１０    モールドタグ
１１，１１１，２１１    ＩＣチップ
１２，３１，１１２，２１２，３３１    アンテナ
１３ａ，１３ｂ    穴部
２０    フック
３０    アンテナ板
４０，３４０    収容ボックス
４１，３４１    収容部
４２，３４２    扉部
４３    電子錠
４３ａ    読取部
５０    アンテナ切替器
６０    リーダ／ライタ
７０    管理用パソコン
１１０，２１０    ホルダー
１１３    貫通穴
１１４    挿入口
１１５    磁性体
２１６    接続部                                                                                
【図１】
2006002538.tif 000003
【図２】
2006002538.tif 000004
【図３】
2006002538.tif 000005
【図４】
2006002538.tif 000006
【図５】
2006002538.tif 000007
【図６】
2006002538.tif 000008